(57)【要約】【課題】一般的な位牌とは異なる外観を有するように装飾することができ、且つ装飾が過剰になることもない位牌を提供する。【解決手段】木札部１０及び台座部２０の前面にそれぞれ装飾部３０を設けたので、各装飾部３０によって一般的な位牌とは異なる外観を有することができる。この場合、各装飾部３０は木札部１０及び台座部２０の前面における幅方向両端側にそれぞれ上下方向に細長く延びるように形成されているので、各装飾部３０の装飾が過剰になることがない。一方、各装飾部３０を貝の象嵌によって形成したので、細長い装飾でありながらも貝象嵌特有の輝きによって各装飾部３０の存在感をさりげなく強調することができ、金泊や金粉にはない独特の装飾効果を得ることができる。【選択図】図１
0003217846.tif 000002
【実用新案登録請求の範囲】
【請求項１】
前面に戒名が表示される木札部と、木札部の下方に配置される台座部とを備えた位牌において、
前記木札部及び台座部の少なくとも一方の前面における幅方向両端側にそれぞれ上下方向に細長く延びる装飾部を設け、
各装飾部を貝の象嵌によって形成した
ことを特徴とする位牌。
【請求項２】
位牌本体の表面が木目模様を有する
ことを特徴とする請求項１記載の位牌。
【請求項３】
位牌本体の表面が漆塗りである
ことを特徴とする請求項１記載の位牌。
【考案の詳細な説明】
【技術分野】
【０００１】
本考案は、仏壇等に載置される位牌に関するものである。
【背景技術】
【０００２】
従来、この種の位牌として、前面に戒名が表示される木札部と、木札部の下方に配置される台座部とを備え、位牌本体の表面を漆塗りで黒色に仕上げるとともに、木札部の縁や台座部に金箔や金粉による金色の装飾を施したものが知られている（例えば、特許文献１参照。）。
【先行技術文献】
【特許文献】
【０００３】
【特許文献１】意匠登録第１３７７９８７号公報
【考案の概要】
【考案が解決しようとする課題】
【０００４】
前記従来例のように黒色の位牌本体に金色の装飾を施したものは、位牌としての荘厳さや重厚さを醸し出しているが、このような外観の位牌は極めて一般的である。しかしながら、位牌は故人を偲ぶ遺族にとって思い入れがあるものであり、一般的なものとは異なる外観が求められることも少なくない。一方、位牌そのものの尊厳が損なわれるような過剰な装飾も好ましいものとはいえない。
【０００５】
本考案は前記事情に鑑みてなされたものであり、その目的とするところは、一般的な位牌とは異なる外観を有するように装飾することができ、且つ装飾が過剰になることもない位牌を提供することにある。
【課題を解決するための手段】
【０００６】
本考案は前記目的を達成するために、前面に戒名が表示される木札部と、木札部の下方に配置される台座部とを備えた位牌において、前記木札部及び台座部の少なくとも一方の前面における幅方向両端側にそれぞれ上下方向に細長く延びる装飾部を設け、各装飾部を貝の象嵌によって形成している。
【０００７】
これにより、木札部及び台座部の少なくとも一方の前面における幅方向両端側にそれぞれ装飾部が設けられていることから、各装飾部によって位牌本体が装飾される。この場合、各装飾部はそれぞれ上下方向に細長く直線状に延びるように形成されていることから、各装飾部の装飾が過剰になることはない。一方、各装飾部は貝の象嵌からなるので、光の当たる角度によって輝き方が変わるという貝象嵌特有の装飾効果が得られる。
【考案の効果】
【０００８】
本考案によれば、各装飾部によって一般的な位牌とは異なる外観を有することができるので、故人を偲ぶ遺族の思い入れを位牌に込めることができる。この場合、各装飾部の装飾が過剰になることがないので、過剰な装飾によって位牌そのものの尊厳が損なわれることがないという利点がある。一方、各装飾部は、細長い装飾でありながらも貝象嵌特有の輝きによって存在感をさりげなく強調することができるので、金泊や金粉にはない独特の装飾効果を得ることができる。
【図面の簡単な説明】
【０００９】
【図１】本考案の一実施形態を示す位牌の斜視図
【図２】位牌の正面図
【図３】位牌の側面図
【図４】位牌の平面図
【図５】図２におけるＡ−Ａ線矢視方向断面図
【図６】図２におけるＢ−Ｂ線矢視方向断面図
【図７】位牌の分解斜視図
【考案を実施するための形態】
【００１０】
図１乃至図７は本考案の一実施形態を示すもので、仏壇等に載置される位牌を示すものである。
【００１１】
本実施形態の位牌は、前面に戒名１が表示される木札部１０と、木札部１０の下方に配置される台座部２０とを備え、木札部１０及び台座部２０の前面における幅方向両端側にはそれぞれ上下方向に細長く直線状に延びる装飾部３０が設けられている。
【００１２】
木札部１０は平板状に形成され、その前面側の上縁部及び幅方向両側縁部はそれぞれ面取りされている。木札部１０の前面における幅方向両端側には各装飾部３０が設けられる幅方向一対の溝１１が形成され、各溝１１はそれぞれ上下方向に細長く延びるように形成されている。
【００１３】
台座部２０はブロック状に形成され、その前面側の幅方向両側縁部はそれぞれ面取りされている。台座部２０の前面における幅方向両端側には各装飾部３０が設けられる幅方向一対の溝２１が形成され、各溝２１はそれぞれ上下方向に細長く延びるように形成されている。
【００１４】
各装飾部３０は、木札部１０の前面における幅方向両端側と、台座部２０の前面における幅方向両端側に幅方向一対ずつ設けられ、それぞれの前面のほぼ上端から下端に亘って上下方向に細長く延びるように互いに同一の幅で形成されている。各装飾部３０は貝の象嵌によって形成され、例えばアワビ、アコヤ等の天然貝からなる装飾材３１を木札部１０の溝１１及び台座部２０の溝２１に嵌め込んで接着することにより形成される。この場合、各装飾材３１は、図５及び図６に示すように木札部１０の表面及び台座部２０の表面と面一になるように嵌め込まれており、装飾部３０の幅Ｗは、例えば１ｍｍ〜１．５ｍｍ程度が好ましい。
【００１５】
以上のように構成された位牌は、木札部１０の前面に戒名１が表示され、仏壇等に載置される。また、木札部１０及び台座部２０の前面における幅方向両端側にはそれぞれ装飾部３０が設けられていることから、各装飾部３０によって位牌本体が装飾される。この場合、各装飾部３０はそれぞれ上下方向に細長く直線状に延びるように形成されていることから、各装飾部３０の装飾が過剰になることはない。一方、各装飾部３０は貝の象嵌からなるので、光の当たる角度によって輝き方が変わるという貝象嵌特有の装飾効果が得られる。
【００１６】
このように、本実施形態によれば、木札部１０及び台座部２０の前面にそれぞれ装飾部３０を設けたので、各装飾部３０によって一般的な位牌とは異なる外観を有することができ、故人を偲ぶ遺族の思い入れを位牌に込めることができる。この場合、各装飾部３０は木札部１０及び台座部２０の前面における幅方向両端側にそれぞれ上下方向に細長く延びるように形成されているので、各装飾部３０の装飾が過剰になることがなく、過剰な装飾によって位牌そのものの尊厳が損なわれることがないという利点がある。一方、各装飾部３０を貝の象嵌によって形成したので、細長い装飾でありながらも貝象嵌特有の輝きによって各装飾部３０の存在感をさりげなく強調することができ、金泊や金粉にはない独特の装飾効果を得ることができる。
【００１７】
また、各装飾部３０は、木札部１０の前面及び台座部２０の前面における幅方向両端側にそれぞれ幅方向一対ずつ同一幅Ｗで設けられているので、木札部１０及び台座部２０に互いに統一感のある装飾を施すことができ、位牌全体に対する装飾効果を高めることができる。
【００１８】
本考案は、装飾部３０を有するものであれば、位牌本体の素材や表面仕上げは限定されるものではないが、例えば位牌本体の表面を木目模様によって形成すれば、木目の醸し出す落ち着いた風合いに貝象嵌の装飾が相俟って独特の外観を得ることができるとともに、位牌本体と装飾部３０のいずれからも天然素材の質感を得ることができる。また、位牌本体の表面を漆塗りによって形成すれば、漆黒の位牌本体の中で貝象嵌の輝きが引き立ち、装飾部３０の存在感を高めることができる。
【００１９】
尚、前記実施形態では、木札部１０及び台座部２０の両方に装飾部３０を設けたものを示したが、装飾部３０を木札部１０及び台座部２０の何れか一方のみに設けるようにしてもよい。
【符号の説明】
【００２０】
１０…木札部、２０…台座部、３０…装飾部。
【図１】
0003217846.tif 000003
【図２】
0003217846.tif 000004
【図３】
0003217846.tif 000005
【図４】
0003217846.tif 000006
【図５】
0003217846.tif 000007
【図６】
0003217846.tif 000008
【図７】
0003217846.tif 000009